(57)【特許請求の範囲】
【請求項１】
光情報記録媒体に照射したレーザ光の反射光から再生信号を生成するステップと、
前記再生信号に対して、所定のパーシャルレスポンス特性に応じた波形等化処理を実施し、波形等化後再生信号を生成するステップと、
前記波形等化後再生信号から、最短符号のマーク及びスペースの各ピークレベル、前記最短符号の次に短い符号のマーク及びスペースの各ピークレベル、前記最短符号の２倍より長い符号長を有する符号のうち出現確率が高い上位２つのうち少なくとも一方の符号のマーク及びスペースの各ピークレベル、及び５Ｔ（Ｔは基準長）以上の符号のマーク及びスペースの各ピークレベルを検出する検出ステップと、
記録方式がLow to Highの場合には前記５Ｔ以上の符号の中でマークのピークレベルが最大となる符号のピークレベル及び当該符号のスペースのピークレベルで、記録方式がHigh to Lowの場合には前記５Ｔ以上の符号の中でマークのピークレベルが最小となる符号のピークレベル及び当該符号のスペースのピークレベルで、前記最短符号のマークのピークレベルと前記最短符号のスペースのピークレベルとを規格化し、前記最短符号のマークの規格化されたピークレベルと前記最短符号のスペースの規格化されたピークレベルとの中間レベルから、ビタビ復号に用いる複数のターゲットレベルにおける中心レベルの値を決定し、設定する設定ステップと、
を含み、
前記設定ステップにおいて、
前記最短符号のマークの規格化されたピークレベル及び前記最短符号のスペースの規格化されたピークレベルから、前記ビタビ復号に用いる複数のターゲットレベルにおける中心レベルに最も近い１つ上のレベルの値及び１つ下のレベルの値を決定し、設定し、
前記記録方式がLow to Highの場合には前記５Ｔ以上の符号の中でマークのピークレベルが最大となる符号のピークレベル及び当該符号のスペースのピークレベルで、前記記録方式がHigh to Lowの場合には前記５Ｔ以上の符号の中でマークのピークレベルが最小となる符号のピークレベル及び当該符号のスペースのピークレベルで、前記最短符号の次に短い符号のマークのピークレベル及び前記最短符号の次に短い符号のスペースのピークレベルを規格化し、前記最短符号の次に短い符号のマークの規格化されたピークレベル及び前記最短符号の次に短い符号のスペースの規格化されたピークレベルから、前記ビタビ復号に用いる複数のターゲットレベルにおける中心レベルに２番目に近い上のレベルの値及び２番目に近い下のレベルの値を決定し、設定し、
前記出現確率が高い上位２つのうち少なくとも一方の符号の各ピークレベルを、前記ビタビ復号に用いる複数のターゲットレベルにおける最大レベル及び最小レベルとして設定する、
光情報記録媒体の再生のためのターゲットレベル設定方法。
【請求項２】
前記ピークレベルが、同一符号のマーク又はスペースについて前記再生信号の複数のピーク値の平均値である請求項１記載のターゲットレベル設定方法。
【請求項３】
前記ターゲットレベルが、
パーシャルレスポンス（１，２，２，１）特性を用いて復号処理を実施する場合には、０乃至６の７レベルであり、
パーシャルレスポンス（１，２，２，２，１）特性を用いて復号処理を実施する場合には、０乃至８の９レベルである
請求項１記載のターゲットレベル設定方法。
【請求項４】
前記設定ステップが、
前記光情報記録媒体に記録された情報の、ユーザに対する再生前、又は前記光情報記録媒体に記録された一部情報の、ユーザに対する再生後
に実施される請求項１記載のターゲットレベル設定方法。
【請求項５】
前記設定ステップが、
前記光情報記録媒体に記録された情報の再生中、定期的に実施される
請求項１記載のターゲットレベル設定方法。
【請求項６】
前記設定ステップが、
前記光情報記録媒体に記録された情報の再生中、信号状態が許容範囲外となった場合に実施される
請求項１記載のターゲットレベル設定方法。
【請求項７】
前記設定ステップにおいて設定されたレベルの値を、前記光情報記録媒体のＩＤと共に光情報記録媒体の再生機能を有する装置のメモリに登録するステップと、
他の光情報記録媒体から、ＩＤを読み出すステップと、
読み出された前記ＩＤに対応して前記メモリに登録されている前記レベルの値を設定するステップと、
をさらに含む請求項１記載のターゲットレベル設定方法。
【請求項８】
光情報記録媒体に照射したレーザ光の反射光から再生信号を生成する手段と、
前記再生信号に対して、所定のパーシャルレスポンス特性に応じた波形等化処理を実施し、波形等化後再生信号を生成する手段と、、
前記波形等化後再生信号から、最短符号のマーク及びスペースの各ピークレベル、前記最短符号の次に短い符号のマーク及びスペースの各ピークレベル、前記最短符号の２倍より長い符号長を有する符号のうち出現確率が高い上位２つのうち少なくとも一方の符号のマーク及びスペースの各ピークレベル、及び５Ｔ（Ｔは基準長）以上の符号のマーク及びスペースの各ピークレベルを検出する検出手段と、
記録方式がLow to Highの場合には前記５Ｔ以上の符号の中でマークのピークレベルが最大となる符号のピークレベル及び当該符号のスペースのピークレベルで、記録方式がHigh to Lowの場合には前記５Ｔ以上の符号の中でマークのピークレベルが最小となる符号のピークレベル及び当該符号のスペースのピークレベルで、前記最短符号のマークのピークレベルと前記最短符号のスペースのピークレベルとを規格化し、前記最短符号のマークの規格化されたピークレベルと前記最短符号のスペースの規格化されたピークレベルとの中間レベルから、ビタビ復号に用いる複数のターゲットレベルにおける中心レベルの値を決定し、設定する設定手段と、
を有し、
前記設定手段が、
前記最短符号のマークの規格化されたピークレベル及び前記最短符号のスペースの規格化されたピークレベルから、ビタビ復号に用いる複数のターゲットレベルにおける中心レベルに最も近い１つ上のレベルの値及び１つ下のレベルの値を決定し、設定し、
前記記録方式がLow to Highの場合には前記５Ｔ以上の符号の中でマークのピークレベルが最大となる符号のピークレベル及び当該符号のスペースのピークレベルで、記録方式がHigh to Lowの場合には前記５Ｔ以上の符号の中でマークのピークレベルが最小となる符号のピークレベル及び当該符号のスペースのピークレベルで、前記最短符号の次に短い符号のマークのピークレベル及び前記最短符号の次に短い符号のスペースのピークレベルを規格化し、前記最短符号の次に短い符号のマークの規格化されたピークレベル及び前記最短符号の次に短い符号のスペースの規格化されたピークレベルから、前記ビタビ復号に用いる複数のターゲットレベルにおける中心レベルに２番目に近い上のレベルの値及び２番目に近い下のレベルの値を決定し、設定し、
前記出現確率が高い上位２つのうち少なくとも一方の符号の各ピークレベルを、前記ビタビ復号に用いる複数のターゲットレベルにおける最大レベル及び最小レベルとして設定する、
光情報記録媒体処理装置。
【請求項９】
前記ピークレベルが、同一符号のマーク又はスペースについて前記再生信号の複数のピーク値の平均値である請求項８記載の光情報記録媒体処理装置。
【請求項１０】
前記ターゲットレベルが、
パーシャルレスポンス（１，２，２，１）特性を用いて復号処理を実施する場合には、０乃至６の７レベルであり、
パーシャルレスポンス（１，２，２，２，１）特性を用いて復号処理を実施する場合には、０乃至８の９レベルである
請求項８記載の光情報記録媒体処理装置。
【請求項１１】
前記設定手段が、
前記光情報記録媒体に記録された情報の、ユーザに対する再生前、又は前記光情報記録媒体に記録された一部情報の、ユーザに対する再生後
に動作する請求項８記載の光情報記録媒体処理装置。
【請求項１２】
前記設定手段が、
前記光情報記録媒体に記録された情報の再生中、定期的に動作する
請求項８記載の光情報記録媒体処理装置。
【請求項１３】
前記設定手段が、
前記光情報記録媒体に記録された情報の再生中、信号状態が許容範囲外となった場合に動作する
請求項８記載の光情報記録媒体処理装置。
【請求項１４】
前記設定手段によって設定されたレベルの値を、前記光情報記録媒体のＩＤと共に光情報記録媒体処理装置のメモリに登録する手段と、
他の光情報記録媒体からＩＤを読み出し、読み出された前記ＩＤに対応して前記メモリに登録されている前記レベルの値を設定する手段と、
をさらに有する請求項８記載の光情報記録媒体処理装置。
【請求項１５】
光情報記録媒体に照射したレーザ光の反射光から生成された再生信号に対して、所定のパーシャルレスポンス特性に応じた波形等化処理を実施することによって生成された波形等化後再生信号から、最短符号のマーク及びスペースの各ピークレベル、前記最短符号の次に短い符号のマーク及びスペースの各ピークレベル、前記最短符号の２倍より長い符号長を有する符号のうち出現確率が高い上位２つのうち少なくとも一方の符号のマーク及びスペースの各ピークレベル、及び５Ｔ（Ｔは基準長）以上の符号のマーク及びスペースの各ピークレベルを、検出させる検出ステップと、
記録方式がLow to Highの場合には前記５Ｔ以上の符号の中でマークのピークレベルが最大となる符号のピークレベル及び当該符号のスペースのピークレベルで、記録方式がHigh to Lowの場合には前記５Ｔ以上の符号の中でマークのピークレベルが最小となる符号のピークレベル及び当該符号のスペースのピークレベルで、前記最短符号のマークのピークレベルと前記最短符号のスペースのピークレベルとを規格化し、前記最短符号のマークの規格化されたピークレベルと前記最短符号のスペースの規格化されたピークレベルとの中間レベルから、ビタビ復号に用いる複数のターゲットレベルにおける中心レベルの値を決定し、設定する設定ステップと、
を、プロセッサに実行させ、
前記設定ステップにおいて、
前記最短符号のマークの規格化されたピークレベル及び前記最短符号のスペースの規格化されたピークレベルから、ビタビ復号に用いる複数のターゲットレベルにおける中心レベルに最も近い１つ上のレベルの値及び１つ下のレベルの値を決定し、設定し、
前記記録方式がLow to Highの場合には前記５Ｔ以上の符号の中でマークのピークレベルが最大となる符号のピークレベル及び当該符号のスペースのピークレベルで、記録方式がHigh to Lowの場合には前記５Ｔ以上の符号の中でマークのピークレベルが最小となる符号のピークレベル及び当該符号のスペースのピークレベルで、前記最短符号の次に短い符号のマークのピークレベル及び前記最短符号の次に短い符号のスペースのピークレベルを規格化し、前記最短符号の次に短い符号のマークの規格化されたピークレベル及び前記最短符号の次に短い符号のスペースの規格化されたピークレベルから、前記ビタビ復号に用いる複数のターゲットレベルにおける中心レベルに２番目に近い上のレベルの値及び２番目に近い下のレベルの値を決定し、設定し、
前記出現確率が高い上位２つのうち少なくとも一方の符号の各ピークレベルを、前記ビタビ復号に用いる複数のターゲットレベルにおける最大レベル及び最小レベルとして設定する、
ターゲットレベル設定プログラム。
【請求項１６】
請求項１５記載のターゲットレベル設定プログラムを格納したメモリを有するプロセッサ。
【発明の詳細な説明】
【技術分野】
【０００１】
本発明は、光情報記録媒体に記録された情報を再生するための技術に関する。
【背景技術】
【０００２】
ＣＤ−Ｒ（追記型ＣＤともいう）、ＤＶＤ±Ｒ（追記型ＤＶＤディスクともいう）、ＨＤ ＤＶＤ−Ｒ（追記型ＨＤ  ＤＶＤディスクともいう）またはＢＤ−Ｒ（追記型ブルーレイディスクともいう）等の光情報記録媒体（光ディスクとも呼ぶ）は、光透過性ディスク状基板の一方の面上に、記録層、反射層、及び必要に応じて保護層を形成した構造を有している。また、記録層や反射層が形成されている基板の一方の面にはグルーブと呼ばれる螺旋状または同心円状の溝が形成され、隣り合うグルーブの間はランドと呼ばれる凸部に形成されている。このような光情報記録媒体には、例えば光ディスク記録再生装置により記録用レーザ光を溝に沿ってトラッキングさせながらグルーブ上の記録層に照射して、ピット（以下、マークという）を形成することにより記録が行われる。このマークの長さｎＴ（基準のチャンネルクロック間のビットの長さをＴとし、ｎ（ｎは整数）倍の長さをｎＴとする）、マークとマークの間の部分（以下、スペースという）の長さｎＴ及びこれらの配列に、再生用レーザ光を照射して反射光を再生信号に変換することにより再生が行われる。
【０００３】
Ｂｌｕ−ｒａｙ規格やＨＤ−ＤＶＤ規格といった高密度記録型光ディスクシステムにおいては、高密度記録情報の再生に適したＰＲＭＬ（Partial Response Maximum Likelihood）信号処理方法が用いられている。近年では、このＰＲＭＬを用いてデータ復号した際のエラーを低減させるため、適応的に処理条件を可変させる技術が提案されている。
【０００４】
例えば、特開２００５−３２７３６７号公報や特開２００２−１５７８２７号公報、特開２００２−１５７８２８号公報の先行技術では、検出した再生信号に応じて、ＰＲ（Partial Response）等化時のＦｉｒフィルタの係数を適応的に制御する技術が提案されている。
【０００５】
また、特開２００５−３４６８９７号公報には、目標レベルが再生信号に応じて変化するＰＲＭＬ方式において、ビタビ・デコーダの検出余裕の観点から再生信号の品質を評価する技術が開示されている。具体的には、再生信号に応じて変化する目標信号レベルから、デコード結果に基づいて目標信号、及びデコード結果がエッジ・シフトした誤目標信号を生成し、これらと再生信号のユークリッド距離を算出することにより、信号品質の評価を可能にすることができる。また、ビタビ・デコーダには内蔵されない、最小ランレングス未満の仮想ステートを定義し、ビタビ・デコーダ内の目標信号レベルテーブルを使って、畳み込みの概念から仮想ステートの目標信号レベルを生成する。このような技術を用いた場合、演算負荷が大きい。
【０００６】
さらに、特開２００５−１３５５４９号公報には、アシンメトリへの対応と再生互換性の確保を両立するＰＲＭＬ法を用いた情報再生技術が開示されている。具体的には、アシンメトリ量を補正するため、基本的に目標レベルを再生信号に適応させる方式を基本として、各目標レベルの間に、時間反転及びレベル反転に対する対称性、もしくは時間反転に対する対称性のいずれかの制限を課す。これによって、再生互換性を損なうマークシフト等の再生信号の歪に追従することなく、アシンメトリに対応できる。このようなレベル反転の対称性に制限を課す点に関しては、マーク及びスペースの補正量を同一にするという点で不適であり、時間反転の対称性の制限に関しては、上記制限に該当しないビット列における信号レベルと補正された目標レベルが乖離して、エラーを増発する可能性を含むといった問題を有する。
【特許文献１】特開２００５−３２７３６７号公報
【特許文献２】特開２００２−１５７８２７号公報
【特許文献３】特開２００２−１５７８２８号公報
【特許文献４】特開２００５−３４６８９７号公報
【特許文献５】特開２００５−１３５５４９号公報
【発明の開示】
【発明が解決しようとする課題】
【０００７】
上で述べたような技術では、比較的多くの演算量が必要となるため、光情報記録媒体の再生装置において実装するには容易ではない。
【０００８】
従って、本発明の目的は、ＰＲＭＬ方式におけるターゲットレベルを適応的に且つ簡易的に設定するための技術を提供することである。
【課題を解決するための手段】
【０００９】
本発明の第１の態様に係る、光情報記録媒体の再生のためのターゲットレベル設定方法は、光情報記録媒体に照射したレーザ光の反射光から再生信号を生成するステップと、再生信号に対して、所定のパーシャルレスポンス特性に応じた波形等化処理を実施し、波形等化後再生信号を生成するステップと、波形等化後再生信号から、最短符号のマーク及びスペース、及び５Ｔ（Ｔは基準長）以上の符号のマーク及びスペースの各ピークレベルを、符号に隣接する符号条件に無関係に検出するステップと、５Ｔ以上の符号のマークのピークレベル及び５Ｔ以上の符号のスペースのピークレベルに対する、最短符号のマークのピークレベルと最短符号のスペースのピークレベルとの中間レベルの相対的関係から、ビタビ復号に用いる複数のターゲットレベルにおける中心レベルの値を決定し、設定する設定ステップとを含む。
【００１０】
また、本発明の第２の態様に係る、光情報記録媒体の再生のためのターゲットレベル設定方法は、光情報記録媒体に照射したレーザ光の反射光から再生信号を生成するステップと、再生信号に対して、所定のパーシャルレスポンス特性に応じた波形等化処理を実施し、波形等化後再生信号を生成するステップと、波形等化後再生信号から、最短符号のマーク及びスペース、及び５Ｔ（Ｔは基準長）以上の符号のマーク及びスペースの各ピークレベルを、符号に隣接する符号条件に無関係に検出するステップと、５Ｔ以上の符号のマークのピークレベル及び５Ｔ以上の符号のスペースのピークレベルに対する、最短符号のマークのピークレベルの相対的関係及び最短符号のスペースのピークレベルの相対的関係から、ビタビ復号に用いる複数のターゲットレベルにおける中心レベルに最も近い１つ上のレベルの値及び１つ下のレベルの値を決定し、設定する設定ステップとを含む。
【００１１】
本発明の第３の態様に係る、光情報記録媒体の再生のためのターゲットレベル設定方法は、光情報記録媒体に照射したレーザ光の反射光から再生信号を生成するステップと、再生信号に対して、所定のパーシャルレスポンス特性に応じた波形等化処理を実施し、波形等化後再生信号を生成するステップと、波形等化後再生信号から、最短符号の次に短い符号のマーク及びスペース、及び５Ｔ（Ｔは基準長）以上の符号のマーク及びスペースの各ピークレベルを、符号に隣接する符号条件に無関係に検出するステップと、５Ｔ以上の符号のマークのピークレベル及び５Ｔ以上の符号のスペースのピークレベルに対する、最短符号の次に短い符号のマークのピークレベルの相対的関係及び最短符号の次に短い符号のスペースのピークレベルの相対的関係から、ビタビ復号に用いる複数のターゲットレベルにおける中心レベルに２番目に近い上のレベルの値及び２番目に近い下のレベルの値を決定し、設定する設定ステップとを含む。
【００１２】
本発明の第４の態様に係る、光情報記録媒体の再生のためのターゲットレベル設定方法は、光情報記録媒体に照射したレーザ光の反射光から再生信号を生成するステップと、再生信号に対して、所定のパーシャルレスポンス特性に応じた波形等化処理を実施し、波形等化後再生信号を生成するステップと、波形等化後再生信号から、最短符号の次の次に短い符号のマーク及びスペース、及び５Ｔ（Ｔは基準長）以上の符号のマーク及びスペースの各ピークレベルを、符号に隣接する符号条件に無関係に検出するステップと、５Ｔ以上の符号のマークのピークレベル及び５Ｔ以上の符号のスペースのピークレベルに対する、最短符号の次の次に短い符号のマークのピークレベルの相対的関係及び最短符号の次の次に短い符号のスペースのピークレベルの相対的関係から、ビタビ復号に用いる複数のターゲットレベルにおける中心レベルに３番目に近い上のレベルの値及び３番目に近い下のレベルの値を決定し、設定する設定ステップとを含む。
【００１３】
本発明の第５の態様に係る、光情報記録媒体の再生のためのターゲットレベル設定方法は、光情報記録媒体に照射したレーザ光の反射光から再生信号を生成するステップと、再生信号に対して、所定のパーシャルレスポンス特性に応じた波形等化処理を実施し、波形等化後再生信号を生成するステップと、波形等化後再生信号から、最短符号の２倍より長い符号長を有する符号のうち、出現確率が高い上位２つのうち少なくとも一方の符号のマーク及びスペースの各ピークレベルを、符号に隣接する符号条件に無関係に検出するステップと、検出された各ピークレベルを、ビタビ復号に用いる複数のターゲットレベルにおける最大レベル及び最小レベルとして設定する設定ステップとを含む。
【００１４】
さらに、本発明の第６の態様に係る、光情報記録媒体の再生のためのターゲットレベル設定方法は、光情報記録媒体に照射したレーザ光の反射光から再生信号を生成するステップと、再生信号に対して、所定のパーシャルレスポンス特性に応じた波形等化処理を実施し、波形等化後再生信号を生成するステップと、波形等化後再生信号から、所定の複数の符号のマーク及びスペースの各ピークレベルを、符号に隣接する符号条件に無関係に検出するステップと、検出された各ピークレベルの相対的関係に基づき、ビタビ復号に用いる複数のターゲットレベルの非等間隔な値を決定し、設定する設定ステップとを含む。
【００１５】
このように、所定の符号のピークレベルから簡単にターゲットレベルを算出することができるため、光情報記録媒体の再生装置などにおいても容易に且つ高速に実施することができる。
【００１６】
また、上で述べたピークレベルが、同一符号のマーク又はスペースについて再生信号の複数のピーク値の平均値とする場合もある。なお、他の統計値（例えば最頻値など）を採用するようにしても良い。
【００１７】
さらに、上で述べたターゲットレベルが、例えばＢｌｕ−ｒａｙ規格で用いられているパーシャルレスポンス（１，２，２，１）特性を用いて復号処理を実施する場合には、０乃至６の７レベルであり、例えばＨＤ−ＤＶＤ規格で用いられるパーシャルレスポンス（１，２，２，２，１）特性を用いて復号処理を実施する場合には、０乃至８の９レベルである。
【００１８】
さらに、上で述べた設定ステップを、光情報記録媒体に記録された情報の、ユーザに対する再生前、又は光情報記録媒体に記録された一部情報の、ユーザに対する再生後に実施するようにしてもよい。前者の場合、例えばシステムデータを記録している領域のデータを再生する段階で設定ステップを実施する。後者の場合には、再生の途中で設定ステップを実施することによって、より光情報記録媒体の状態に応じた設定を行うことができるようになる。
【００１９】
また、上で述べた設定ステップを、光情報記録媒体に記録された情報の再生中、定期的に実施するようにしてもよい。このようにすれば、常に最適なターゲットレベルが設定されるようになる。
【００２０】
さらに、上で述べた設定ステップを、光情報記録媒体に記録された情報の再生中、信号状態が許容範囲外となった場合に実施するようにしてもよい。このようにすれば、必要に応じて設定ステップを実施することができるようになる。
【００２１】
さらに、上で述べた設定ステップにおいて設定されたレベルの値を、光情報記録媒体のＩＤと共に光情報記録媒体の再生機能を有する装置のメモリに登録するステップと、他の光情報記録媒体から、ＩＤを読み出すステップと、読み出されたＩＤに対応してメモリに登録されているレベルの値を設定するステップとをさらに含むようにしてもよい。このようにすれば、同じ種類の光情報記録媒体から情報を再生する場合に、最初から適切なターゲットレベルを用いて再生を行うことができるようになる。
【００２２】
本発明の第７の態様に係る、光情報記録媒体の再生のためのターゲットレベル設定方法は、光情報記録媒体から、ビタビ復号に用い且つ非等間隔に配列されている複数のターゲットレベルの値を読み出すステップと、光情報記録媒体に記録された情報の再生を行う前に、読み出された複数のターゲットレベルの値を、ビタビ復号を実施する処理部に設定するステップとを含む。このように光情報記録媒体毎に、ビタビ復号に用いる複数のターゲットレベルを用意しておけば、最初からエラーレートが低い状態で再生を行うことができるようになる。
【００２３】
なお、上で述べた第１乃至第７の態様に係るターゲットレベル設定方法を実行する光情報記録媒体処理装置（再生装置又は記録再生装置）を作成することも可能である。
【００２４】
本発明のターゲットレベル設定方法の少なくとも一部のステップをプロセッサに実行させるためのプログラムを作成することができ、当該プログラムは、例えばフレキシブル・ディスク、ＣＤ−ＲＯＭなどの光ディスク、光磁気ディスク、半導体メモリ、ハードディスク等の記憶媒体又は記憶装置若しくはプロセッサの不揮発性メモリに格納される。また、ネットワークを介してディジタル信号にて頒布される場合もある。なお、処理途中のデータについては、プロセッサのメモリ等の記憶装置に一時保管される。
【発明の効果】
【００２５】
本発明によれば、簡易的且つ低コスト条件下で、ＰＲＭＬ方式におけるターゲットレベルを適応的に設定することができるようになる。
【発明を実施するための最良の形態】
【００２６】
［本発明の実施の形態の概要］
まず、図１に、例えばＢｌｕ−ｒａｙ規格において用いられるＰＲ（１，２，２，１）特性を用いた際のＭＬ（Maximum Likelihood）時ターゲットレベルについて説明する。図１に示すように、ＰＲ（１，２，２，１）特性を用いた際のＭＬ時ターゲットレベルは、０乃至６の７レベルであり、最小レベルが０、最大レベルが６、中心レベルが３、中心レベルに最も近い上側のレベルが４であり、下側のレベルが２である。また、中心レベルに２番目に近い上側のレベルは５であり、下側のレベルは１である。従来であれば、図１に示したように、各ターゲットレベルの間隔は、均等であり、固定的である。そして、このターゲットレベルに基づき、波形等化後の再生信号の符号を判断する。
【００２７】
また、図２に、例えばＨＤ−ＤＶＤ規格において用いられるＰＲ（１，２，２，２，１）特性を用いた際のＭＬ時ターゲットレベルについて説明する。図２に示すように、ＰＲ（１，２，２，２，１）特性を用いた際のＭＬ時ターゲットレベルは、０乃至８の９レベルであり、最小レベルが０、最大レベルが８、中心レベルが４、中心レベルに最も近い上側のレベルが５であり、下側のレベルが３である。また、中心レベルに２番目に近い上側のレベルは６であり、下側のレベルは２である。さらに、中心レベルに３番目に近い上側のレベルは７であり、下側のレベルは１である。従来であれば、図２に示したように、各ターゲットレベルの間隔は、均等であり、固定的である。そして、このターゲットレベルに基づき、波形等化後の再生信号の符号を判断する。
【００２８】
本実施の形態では、例えば波形等化後の再生信号に応じて、ターゲットレベルを動的に変化させることによって、再生時のエラーレートを低減させ、光情報記録媒体から情報を安定的に再生するものである。
【００２９】
このような前提の下、図３乃至図５を用いて、ターゲットレベルの動的な設定方法について具体的に述べる。
【００３０】
まず、再生に係る光情報記録媒体に対してレーザ光を照射して当該光情報記録媒体からの反射光を受信して、当該反射光を電気信号に変換した後、ディジタル信号に変換して再生信号を生成する（図３：ステップＳ１）。また、生成した再生信号に対して波形等化処理を実施する（ステップＳ３）。そして、波形等化後の再生信号について符号識別を実施して、所定符号のピークレベルを検出する（ステップＳ５）。
【００３１】
具体的には、Ｂｌｕ-ｒａｙ規格の場合には、最短符号のマーク及びスペースのピーク値の平均値と、最短符号の次に短い符号のマーク及びスペースのピーク値の平均値と、最短符号の次の次に短い符号のマーク及びスペースのピーク値の平均値又は最短符号の２倍より長い符号長を有する符号の中で出現確率が高い上位２つの符号のうち少なくとも一方の符号のマーク及びスペースのピーク値の平均値と、５Ｔ以上の符号のマーク及びスペースのピーク値の平均値とを、ピークレベルとして検出する。
【００３２】
また、ＨＤ−ＤＶＤ規格の場合には、最短符号のマーク及びスペースのピーク値の平均値と、最短符号の次に短い符号のマーク及びスペースのピーク値の平均値と、最短符号の次の次に短い符号のマーク及びスペースのピーク値の平均値と、最短符号の２倍より長い符号長を有する符号の中で出現確率が高い上位２つの符号のうち少なくとも一方の符号のマーク及びスペースのピーク値の平均値と、５Ｔ以上の符号のマーク及びスペースのピーク値の平均値とを、ピークレベルとして検出する。
【００３３】
そして、検出ピークレベルの相対的な位置関係に基づきターゲットレベルを決定し、ビタビ復号処理を実施する処理部に設定する（ステップＳ７）。以下、本ステップの内容を具体的に説明する。
【００３４】
（１）中心レベル［ＰＲ（１，２，２，１）特性の場合のターゲットレベル”３”］
［ＰＲ（１，２，２，２，１）特性の場合のターゲットレベル”４”］
最短符号のマークのピークレベルと最短符号のスペースのピークレベルとの中間レベルを、５Ｔ以上の符号のマーク及びスペースのピークレベルで規格化した値を、ビタビ復号に用いる複数のターゲットレベルにおける中心レベル（具体的には上で述べたレベル）として設定する。
【００３５】
（２）中心レベルに最も近い上のレベルと下のレベル
［ＰＲ（１，２，２，１）特性の場合のターゲットレベル”２”及び”４”］
［ＰＲ（１，２，２，２，１）特性の場合のターゲットレベル”３”及び”５”］
５Ｔ以上の符号のマーク及びスペースのピークレベルに対する、最短符号のマークのピークレベルの相対的位置関係と、最短符号のスペースのピークレベルの相対的位置関係とから、ビタビ復号に用いるターゲットレベルにおける中心レベルに最も近い上のレベルの値と下のレベルの値とを算出する。
【００３６】
なお、マーク及びスペースの関係は、記録方式（High to Low／Low to High）によって極性が変わる。High to Lowの場合、最短符号マークのピークレベルを用いて下側のレベルを決定し、最短符号のスペースのピークレベルを用いて上側のレベルを決定する。Low to Highの場合には、この逆になる。以下においても、記録方式によるマーク及びスペースの関係は、同様である。
【００３７】
（３）中心レベルに２番目に近い上のレベル及び下のレベル
［ＰＲ（１，２，２，１）特性の場合のターゲットレベル”１”及び”５”］
［ＰＲ（１，２，２，２，１）特性の場合のターゲットレベル”２”及び”６”］
５Ｔ以上の符号のマーク及びスペースのピークレベルに対する、最短符号の次に短い符号のマークのピークレベルの相対的位置関係と、最短符号の次に短い符号のスペースのピークレベルの相対的位置関係とから、ビタビ復号に用いるターゲットレベルにおける中心レベルに２番目に近い上のレベル及び下のレベルを決定する。記録方式によって、マークとスペースのうちいずれが中心レベルに２番目に近い上のレベルか、下のレベルかについては上で述べた例と同じように決定される。
【００３８】
（４）中心レベルに３番目に近い上のレベル及び下のレベル
［ＰＲ（１，２，２，１）特性の場合のターゲットレベル”０”及び”６”］
［ＰＲ（１，２，２，２，１）特性の場合のターゲットレベル”１”及び”７”］
５Ｔ以上の符号のマーク及びスペースのピークレベルに対する、最短符号の次の次に短い符号のマークのピークレベルの相対的位置関係と、最短符号の次の次に短いスペースのピークレベルの相対的位置関係とから、ビタビ復号に用いるターゲットレベルにおける中心レベルに３番目に近い上のレベル及び下のレベルを決定する。記録方式によって、マークとスペースのうちいずれが中心レベルに３番目に近い上のレベルか、下のレベルかについては、上で述べた例と同じように決定される。
【００３９】
（５）最大レベル及び最小レベル
［ＰＲ（１，２，２，１）特性の場合のターゲットレベル”０”及び”６”］
［ＰＲ（１，２，２，２，１）特性の場合のターゲットレベル”０”及び”８”］
最短符号の２倍より長い符号長を有する符号の中で、出現確率が高い上位２つの符号のうち少なくとも一方の符号のマーク及びスペースの各ピークレベルを、ビタビ復号に用いるターゲットレベルにおける最大レベル及び最小レベルとして決定する。記録方式によって、マークとスペースのうちいずれが最大レベルか、最小レベルかについては、上で述べた例と同じように決定される。
【００４０】
なお、ピークレベルをそのままターゲットレベルに用いるのではなく、例えば適切な係数を乗じた値をターゲットレベルの値に用いるようにしても良い。また、ＰＲ（１，２，２，１）の場合、（４）と（５）のいずれを採用しても良い。  
【００４１】
以上のような処理を実施することによって、従来では均等間隔で並んでいたターゲットレベルが、ピークレベルの実状態に応じた非均等間隔に配列されるようになる。
【００４２】
ここで図４及び図５を用いてＢｌｕ-ｒａｙ規格の場合の具体的なターゲットレベル設定例を示す。図４の例では、６Ｔ符号のスペース及びマークの振幅量で規格化した場合における各符号のレベル値を示している。なお、記録方式は、Low to Highとなっている。すなわち、６Ｔスペースのピークレベルをターゲットレベル”０”と設定し、６Ｔマークのピークレベルをターゲットレベル”６”と設定する。このような前提の下、２Ｔマークのピークレベルと２Ｔスペースのピークレベルとの中間レベルの規格化値を、中心レベルであるターゲットレベル”３”と設定する。さらに、２Ｔスペースのピークレベルの規格化値をターゲットレベル”２”と設定し、２Ｔマークのピークレベルの規格化値をターゲットレベル”４”と設定する。さらに、３Ｔスペースのピークレベルの規格化値をターゲットレベル”１”と設定し、３Ｔマークのピークレベルの規格化値をターゲットレベル”５”と設定する。
【００４３】
このように各ターゲットレベルの値を算出すると、図５に示すようになる。図５に示すように、ターゲットレベル”６”と”０”については、固定的であるが、その他のターゲットレベルの値は、非等間隔に配列されることが分かる。
【００４４】
以上のように算出された値を、ビタビ復号を実施する処理部に設定することによって、以後の再生における符号識別ではエラーレートが下がることが期待される。
【００４５】
［本実施の形態における具体的構成］
本発明の実施の形態に係る光記録再生システムの機能ブロック図を図６に示す。本実施の形態に係る光記録再生システムは、光情報記録媒体１５に対してレーザ光を照射して記録又は再生を行うための光学ユニット（ＰＵ）１と、光学ユニット１に含まれるフォトディテクタからの電気信号に対して次のステップのデジタル信号に変換しやすく波形等化処理を行うプレイコライザ（Pre-EQ）３と、アナログ信号をデジタル信号に変化するＡＤＣ（Analog Digital Converter）５、デジタル信号を符号間干渉が残る不完全な周波数レスポンスに対して、ｎＴマークの長さ方向の中央位置の振幅レベルがピーク値となり、中央位置からはなれるに従って隣接のｎＴスペースの影響を受ける振幅レベルの値を、例えば０乃至６の７レベルの比率に等化させる等化器７と、等化器７で波形等化された再生ＲＦ信号から最も確からしい標準符号系列に復号するビタビデコーダ９と、等化器７及びビタビデコーダ９からの出力を用いて処理を実施する制御部１１と、制御部１１からの設定出力に応じて書き込みデータ（Writeデータ）のための記録波形を生成して光学ユニット１に出力する記録波形生成部１３と、制御部１１の処理結果を格納するメモリ１７とを有する。なお、光記録再生システムは、図示しないが、表示装置やパーソナルコンピュータに接続され、場合によってはネットワークに接続して１又は複数のコンピュータなどと通信を行う場合もある。
【００４６】
制御部１１は、等化器７の出力である再生ＲＦ信号とビタビデコーダ９の出力である最尤復号符号データとを対応付ける符号識別部１１１と、符号識別部１１１からの符号データに基づき予め設定された検出パターンの出現を検出すると振幅レベルの検出を指示する検出指示部１１３と、検出指示部１１３からの指示に従って符号識別部１１１からの再生ＲＦ信号に対して振幅レベルの検出処理を実施する検出部１１５と、アシンメトリ値や以下で説明する所定の統計量などを算出するためのデータを等化器７の出力である再生ＲＦ信号から抽出する特性値検出部１１９と、検出部１１５からの出力に基づきピークレベルを算出すると共に上で述べた複数のターゲットレベルの算出及びビタビデコーダ９への設定などを実施する演算部１１７とを有する。なお、演算部１１７は、場合によっては特性値検出部１１９からの出力に応じて処理を実施する。また、演算部１１７は、例えば以下で説明する機能を実施するためのプログラムと、プロセッサの組み合わせで実現されることもある。その際、プロセッサ内のメモリにプログラムが格納されることもある。
【００４７】
なお、本実施の形態は、記録機能を有さず、再生機能のみを有する光記録再生システムにも適用可能である。その場合には、記録波形生成部１３は含まれない。
【００４８】
次に、図７乃至図１６を用いて図６に示した光記録再生システムにおけるターゲットレベルの動的設定処理の具体例について説明する。最初に図７を用いて第１の処理例を示す。光記録再生システムに、再生に係る光情報記録媒体１５が挿入されると、制御部１１は、所定の初期設定を実施する（図７：ステップＳ１１）。例えば、初期的なターゲットレベルの値をビタビデコーダ９に設定したり、ＰＵ１に対して初期的な再生レーザパワーの値を設定したりする。
【００４９】
そして、演算部１１７は、光情報記録媒体１５のＬｅａｄ−ｉｎエリアに記録された情報を読み出す際等に、図３に示したような処理を実施して、各ターゲットレベルを算出して、ビタビデコーダ９に設定する（ステップＳ１３）。
【００５０】
具体的には、Ｂｌｕ-ｒａｙ規格の場合には、符号識別部１１１は、等化器７とビタビデコーダ９の出力を対応付けて出力し、検出指示部１１３は、最短符号のマーク及びスペース、最短符号の次に短い符号のマーク及びスペース、最短符号の次の次に短い符号のマーク及びスペース又は最短符号の２倍より長い符号長を有する符号の中で出現確率が高い上位２つの符号のうち少なくとも一方の符号のマーク及びスペース、５Ｔ以上の符号のマーク及びスペースを検出して、検出部１１５にピーク値の検出を指示する。検出部１１５は、指示されたタイミングでピーク値を検出し、検出したピーク値を演算部１１７に出力する。演算部１１７は、最短符号のマーク及びスペースのピーク値の平均値と、最短符号の次に短い符号のマーク及びスペースのピーク値の平均値と、最短符号の次の次に短い符号のマーク及びスペースのピーク値の平均値又は最短符号の２倍より長い符号長を有する符号の中で出現確率が高い上位２つの符号のうち少なくとも一方の符号のマーク及びスペースのピーク値の平均値と、５Ｔ以上の符号のマーク及びスペースのピーク値の平均値とを算出する。
【００５１】
また、ＨＤ−ＤＶＤ規格の場合には、符号識別部１１１は、等化器７とビタビデコーダ９の出力を対応付けて出力し、検出指示部１１３は、最短符号のマーク及びスペース、最短符号の次に短い符号のマーク及びスペース、最短符号の次の次に短い符号のマーク及びスペース、最短符号の２倍より長い符号長を有する符号の中で出現確率が高い上位２つの符号のうち少なくとも一方の符号のマーク及びスペース、５Ｔ以上の符号のマーク及びスペースを検出して、検出部１１５にピーク値の検出を指示する。検出部１１５は、指示されたタイミングでピーク値を検出し、検出したピーク値を演算部１１７に出力する。演算部１１７は、最短符号のマーク及びスペースのピーク値の平均値と、最短符号の次に短い符号のマーク及びスペースのピーク値の平均値と、最短符号の次の次に短い符号のマーク及びスペースのピーク値の平均値と、最短符号の２倍より長い符号長を有する符号の中で出現確率が高い上位２つの符号のうち少なくとも一方の符号のマーク及びスペースのピーク値の平均値と、５Ｔ以上の符号のマーク及びスペースのピーク値の平均値とを算出する。
【００５２】
そして、演算部１１７は、図３を用いて説明したように、検出ピークレベルの相対的な位置関係に基づきターゲットレベルを決定し、ビタビデコーダ９に設定する。また、算出されたターゲットレベルの値を、光情報記録媒体１５のメディアＩＤに対応付けてメモリ１７に格納するようにしても良い。後に、例えば、同じメディアＩＤの光情報記録媒体を再生する場合に、当該ターゲットレベルの値を読み出して、利用するためである。
【００５３】
その後、光記録再生システムは、光情報記録媒体１５に記録された情報をユーザに対して再生する（ステップＳ１５）。
【００５４】
このように、ユーザに対する情報再生より前に、ターゲットレベルの設定を完了すれば、エラーレートが低い状態で情報再生を開始することができる。
【００５５】
次に、図８を用いて、光記録再生システムの第２の処理例を示す。光記録再生システムに、再生に係る光情報記録媒体１５が挿入されると、制御部１１は、所定の初期設定を実施する（図８：ステップＳ２１）。例えば、初期的なターゲットレベルの値をビタビデコーダ９に設定したり、ＰＵ１に対して初期的な再生レーザパワーの値を設定したりする。
【００５６】
そして、光記録再生システムは、光情報記録媒体１５に記録された情報をユーザに対して再生する（ステップＳ２３）。例えば、所定時間又は所定データ量だけ再生を実施する。なお、ステップＳ２３の再生中に、ピークレベルの検出を行っておく。その後、演算部１１７は、ステップＳ１３と同様に、ステップＳ２３での再生結果を用いて、ターゲットレベルの値を算出し、ビタビデコーダ９に設定すると共に、光情報記録媒体１５のメディアＩＤと共にターゲットレベルの値をメモリ１７に格納する（ステップＳ２５）。
【００５７】
その後、ステップＳ２５の設定に従って、光記録再生システムは、光情報記録媒体１５に記録された残余の情報をユーザに対して再生する（ステップＳ２７）。
【００５８】
このように、情報再生を一部行った後で、ターゲットレベルの設定を行えば、光情報記録媒体１５の記録状態に応じたターゲットレベルの設定が可能となり、よりエラーレートを下げることができるようになる。
【００５９】
また、図９を用いて、光記録再生システムの第３の処理例を示す。光記録再生システムに、再生に係る光情報記録媒体１５が挿入されると、制御部１１は、所定の初期設定を実施する（図９：ステップＳ３１）。例えば、初期的なターゲットレベルの値をビタビデコーダ９に設定したり、ＰＵ１に対して初期的な再生レーザパワーの値を設定したりする。
【００６０】
そして、光記録再生システムは、光情報記録媒体１５に記録された情報をユーザに対して再生する（ステップＳ３３）。例えば、所定時間又は所定データ量だけ再生を実施する。また、回転回数などで再生量を規定しても良い。なお、ステップＳ３３の再生中に、ピークレベルの検出を行っておく。
【００６１】
そして、再生終了がユーザから指示された場合など、再生終了と判断される場合には（ステップＳ３５：Ｙｅｓルート）、処理を終了する。一方、再生終了ではない場合（ステップＳ３５：Ｎｏルート）、演算部１１７は、補正のタイミングであるか判断する（ステップＳ３７）。上で述べたように、所定時間経過した場合、所定データ量だけ再生した場合、所定の再生位置に達した場合等に該当するか判断する。補正のタイミングでない場合にはステップＳ３３に戻る。一方、補正のタイミングであると判断した場合には、演算部１１７は、ステップＳ１３と同様に、ステップＳ３３での再生結果を用いて、ターゲットレベルの値を算出し、ビタビデコーダ９に設定する（ステップＳ３９）。そして、ステップＳ３９の設定に従って、光記録再生システムは、光情報記録媒体１５に記録された情報をユーザに対して再生するように、ステップＳ３３に戻る。
【００６２】
このように、定期的にターゲットレベルの設定を行うことによって、光情報記録媒体１５の部分部分で異なるターゲットレベルを設定するなど、ターゲットレベルの適応的な設定が可能となる。なお、正確に定期的でなくとも良い。
【００６３】
次に、図１０を用いて、光記録再生システムの第４の処理例を示す。光記録再生システムに、再生に係る光情報記録媒体１５が挿入されると、制御部１１は、所定の初期設定を実施する（図１０：ステップＳ４１）。例えば、初期的なターゲットレベルの値をビタビデコーダ９に設定したり、ＰＵ１に対して初期的な再生レーザパワーの値を設定したりする。
【００６４】
そして、光記録再生システムは、光情報記録媒体１５に記録された情報をユーザに対して再生する（ステップＳ４３）。例えば、所定時間又は所定データ量だけ再生を実施する。また、回転回数などで再生量を規定しても良い。なお、ステップＳ４３の再生中に、ピークレベルの検出を行っておく。
【００６５】
そして、再生終了がユーザから指示された場合など、再生終了と判断される場合には（ステップＳ４５：Ｙｅｓルート）、処理を終了する。一方、再生終了ではない場合（ステップＳ４５：Ｎｏルート）、演算部１１７は、再生信号の信号状態を評価する（ステップＳ４７）。
【００６６】
再生信号の信号状態は、例えばエラーレート、ジッタ値、アシンメトリ値（予め定められた符号の振幅レベルを用いて算出され、上記符号間の対称性を示す指標値である。具体的には上記符号のマーク及びスペースを示す両振幅レベルの中心位置のずれ量を所定の計算式に基づいてアシンメトリ値として算出する。）又はβ値などの評価指標値で評価される。このような評価指標値については、特性値検出部１１９によって検出された値から、演算部１１７によって算出される。なお、このような評価指標値は周知であって、その算出方法も周知であるから、ここでは説明は省略する。
【００６７】
そして、演算部１１７は、再生信号の信号状態に基づきターゲットレベルの補正が必要であるか判断する（ステップＳ４９）。例えばエラーレートの場合には、図１１に示すように、時間と共に変動し、予め定められた上限値に到達したか判断する。すなわち、図１１に示された所定上限値を超えた部分が補正タイミングとなる。同様に、アシンメトリ値やβ値の場合には、図１２に示すように、アシンメトリ値やβ値が、予め定められた上限値又は下限値で規定される許容範囲を外れているか判断する。すなわち、図１２に示すように、アシンメトリ値やβ値が、上限値を上回ったタイミング、下限値を下回ったタイミングが補正タイミングである。
【００６８】
ステップＳ４９で、補正が必要でないと判断された場合にはステップＳ４３に戻る。一方、補正が必要であると判断されると、演算部１１７は、ステップＳ１３と同様に、ステップＳ４３での再生結果を用いて、ターゲットレベルの値を算出し、ビタビデコーダ９に設定する（ステップＳ５１）。そして、ステップＳ５１の設定に従って、光記録再生システムは、光情報記録媒体１５に記録された情報をユーザに対して再生するように、ステップＳ４３に戻る。
【００６９】
このように、再生信号の信号状態が悪化した場合には、それに併せてターゲットレベルの設定を行うことによって、光情報記録媒体１５の再生中にエラーレートを上昇させることなく、再生を継続させることができるようになる。また、必要に応じてステップＳ５１が実施されるので、演算部１１７の処理負荷も下げられている。
【００７０】
次に、図１３を用いて、光記録再生システムの第５の処理例を示す。なお、本処理例においては、メモリ１７に、メディアＩＤに対応してビタビデコーダ９に設定すべきターゲットレベルの値が登録されているものとする。ターゲットレベルの値は、上で述べたように既に光情報記録媒体毎に最適化されている。
【００７１】
まず、光記録再生システムに、再生に係る光情報記録媒体１５が挿入されると、制御部１１は、光情報記録媒体１５の所定の領域に記録されているメディアＩＤを読み出す（図１３：ステップＳ６１）。そして、当該メディアＩＤに対応して所定の初期設定を実施する（ステップＳ６３）。例えば、ＰＵ１に対して初期的な再生レーザパワーの値を設定したりする。
【００７２】
さらに、制御部１１は、メモリ１７に格納されているターゲットレベルの値のうち、ステップＳ６１で読み出したメディアＩＤに対応するターゲットレベルの値を読み出し、ビタビデコーダ９に設定する（ステップＳ６５）。
【００７３】
そして、光記録再生システムは、光情報記録媒体１５に記録された情報をユーザに対して再生する（ステップＳ６７）。
【００７４】
このようにすれば、上で述べたようなターゲットレベルの値の算出処理を光記録再生システムにおいて行わずに、エラーレートが低い状態で再生を行うことができる。なお、メモリ１７にターゲットレベルの値を登録するのは、光記録再生システムの製造者であってもよいが、図７や図８で示したように、ターゲットレベルの値の算出処理を実施する毎に、メモリ１７にデータを蓄積しておき、後に利用するようにしても良い。
【００７５】
さらに、図１４を用いて、光記録再生システムの第６の処理例を示す。なお、本処理例においても、メモリ１７に、メディアＩＤに対応してビタビデコーダ９に設定すべきターゲットレベルの値が登録されているものとする。ターゲットレベルの値は、上で述べたように既に光情報記録媒体毎に最適化されている。
【００７６】
まず、光記録再生システムに、再生に係る光情報記録媒体１５が挿入されると、制御部１１は、光情報記録媒体１５の所定の領域に記録されているメディアＩＤを読み出す（図１４：ステップＳ７１）。そして、当該メディアＩＤに対応して所定の初期設定を実施する（ステップＳ７３）。例えば、ＰＵ１に対して初期的な再生レーザパワーの値を設定したりする。
【００７７】
さらに、制御部１１は、メモリ１７に格納されているターゲットレベルの値のうち、ステップＳ７１で読み出したメディアＩＤに対応するターゲットレベルの値を読み出し、ビタビデコーダ９に設定する（ステップＳ７５）。
【００７８】
そして、光記録再生システムは、光情報記録媒体１５に記録された情報をユーザに対して再生する（ステップＳ７７）。例えば、所定時間又は所定データ量だけ再生を実施する。また、回転回数などで再生量を規定しても良い。なお、ステップＳ７７の再生中に、ピークレベルの検出を行っておく。
【００７９】
そして、再生終了がユーザから指示された場合など、再生終了と判断される場合には（ステップＳ７９：Ｙｅｓルート）、処理を終了する。一方、再生終了ではない場合（ステップＳ７９：Ｎｏルート）、演算部１１７は、補正のタイミングであるか判断する（ステップＳ８１）。上で述べたように、所定時間経過した場合、所定データ量だけ再生した場合、所定の再生位置に達した場合に該当するか判断する。補正のタイミングでない場合にはステップＳ７７に戻る。一方、補正のタイミングであると判断した場合には、演算部１１７は、ステップＳ１３と同様に、ステップＳ７７での再生結果を用いて、ターゲットレベルの値を算出し、ビタビデコーダ９に設定する（ステップＳ８３）。さらに、算出したターゲットレベルの値を、メディアＩＤに対応してメモリ１７に格納する。そして、ステップＳ８３の設定に従って、光記録再生システムは、光情報記録媒体１５に記録された情報をユーザに対して再生するように、ステップＳ７７に戻る。
【００８０】
このように、予め用意されているターゲットレベルを初期的に設定すると共に、定期的にターゲットレベルの設定を行うことによって、光情報記録媒体１５の部分部分で異なるターゲットレベルを設定するなど、ターゲットレベルの適応的な設定が可能となる。すなわち、再生全体においてエラーレートを下げることができる。なお、正確に定期的でなくとも良い。
【００８１】
なお、本処理例では、図９と図１３の処理を組み合わせた例を示しているが、図１０と図１３の処理を組み合わせるようにしても良い。
【００８２】
上の処理例では、メモリ１７にターゲットレベルの値を格納する例を示したが、必ずしもメモリ１７に保持しておく必要はない。例えば、光情報記録媒体１５に保持させておいても良い。光情報記録媒体１５に保持させる場合には、図１５に示すようなＬｅａｄ−ｉｎ領域の中に保持しておく。Ｌｅａｄ−ｉｎ領域は、システムＬｅａｄ−ｉｎ領域と、コネクション領域と、データＬｅａｄ−ｉｎ領域とに大きく分かれており、システムＬｅａｄ−ｉｎ領域は、イニシャル・ゾーン、バッファ・ゾーン、コントロールデータ・ゾーン、バッファ・ゾーンを含む。また、コネクション領域は、コネクション・ゾーンを含む。さらに、データＬｅａｄ−ｉｎ領域は、ガードトラック・ゾーン、ディスクテスト・ゾーン、ドライブテスト・ゾーン、ガードトラック・ゾーン、ＲＭＤデュープリケーション・ゾーン、レコーディングマネジメント・ゾーン、Ｒ−フィジカルフォーマットインフォメーション・ゾーン、リファレンスコード・ゾーンを含む。  本実施の形態では、システムＬｅａｄ−ｉｎ領域のコントロールデータ・ゾーンに、レコーディングコンディションデータ・ゾーン１７０を含むようにする。
【００８３】
例えば、このレコーディングコンディションデータ・ゾーン１７０に、当該光情報記録媒体１５のためのターゲットレベルの値を保持させ、必要な時に読み出すようにする。
【００８４】
このように光情報記録媒体１５のためのターゲットレベルの値を光情報記録媒体１５が保持することによって、再生当初からどの光記録再生システムにおいても低いエラーレートで再生を実施することができるようになる。
【００８５】
さらに、図１６を用いて、光情報記録媒体１５にターゲットレベルの値が記録されている場合の処理例を示す。まず、光記録再生システムに、再生に係る光情報記録媒体１５が挿入されると、制御部１１は、所定の初期設定を実施する（図１６：ステップＳ９１）。例えば、ＰＵ１に対して初期的な再生レーザパワーの値を設定したりする。
【００８６】
そして、制御部１１は、光情報記録媒体１５から、当該光情報記録媒体１５に記録されているターゲットレベルの値を読み出す（ステップＳ９３）。そして、読み出したターゲットレベルの値を、ビタビレコーダ９に設定する（ステップＳ９５）。
【００８７】
その後、光情報記録媒体１５に記録された情報をユーザに対して再生する（ステップＳ９７）。例えば、所定時間又は所定データ量だけ再生を実施する。また、回転回数などで再生量を規定しても良い。なお、ステップＳ９７の再生中に、ピークレベルの検出を行っておく。
【００８８】
そして、再生終了がユーザから指示された場合など、再生終了と判断される場合には（ステップＳ９９：Ｙｅｓルート）、処理を終了する。一方、再生終了ではない場合（ステップＳ９９：Ｎｏルート）、演算部１１７は、再生信号の信号状態を評価する（ステップＳ１０１）。再生信号の信号状態の評価についてはステップＳ４７と同様である。
【００８９】
そして、演算部１１７は、再生信号の信号状態に基づきターゲットレベルの補正が必要であるか判断する（ステップＳ１０３）。本ステップの判断もステップＳ４９と同様である。
【００９０】
ステップＳ１０３で、補正が必要でないと判断された場合にはステップＳ９７に戻る。一方、補正が必要であると判断されると、演算部１１７は、ステップＳ１３と同様に、ステップＳ９７での再生結果を用いて、ターゲットレベルの値を算出し、ビタビデコーダ９に設定する（ステップＳ１０５）。そして、ステップＳ１０５の設定に従って、光記録再生システムは、光情報記録媒体１５に記録された情報をユーザに対して再生するように、ステップＳ９７に戻る。
【００９１】
このように、初期的には、光情報記録媒体１５に記録されているターゲットレベルの値を設定して再生を開始し、再生信号の信号状態が悪化した場合には、それに併せてターゲットレベルの設定を行うことによって、光情報記録媒体１５の再生中にエラーレートを上昇させることなく、再生を継続させることができるようになる。また、必要に応じてステップＳ１０５が実施されるので、演算部１１７の処理負荷も下げられている。
【００９２】
ここでは、図１０に示す処理を、光情報記録媒体１５にターゲットレベルの値が記録されているケースに適用したものであるが、図９に示した処理を適用するようにしても良い。
【００９３】
以上本発明の実施の形態について説明したが、本発明はこれに限定されるものではない。図６に示した機能ブロック図は一例であって、必ずしも実際の回路構成などに対応しない場合もある。
【００９４】
また、上の例では、全てのターゲットレベルを設定し直すような説明であったが、１部のターゲットレベルのみ設定し直すようにしてもエラーレート低減の効果がある。
【図面の簡単な説明】
【００９５】
【図１】ターゲットレベルの値を説明するための図である。
【図２】ターゲットレベルを説明するための図である。
【図３】本発明の実施の形態におけるターゲットレベルの値の算出処理を説明するための図である。
【図４】ターゲットレベルの計算を説明するための図である。
【図５】ターゲットレベルの値の計算例を示す図である。
【図６】本発明の実施の形態における光記録再生システムの機能ブロック図である。
【図７】本発明の実施の形態における第１の処理例を示す図である。
【図８】本発明の実施の形態における第２の処理例を示す図である。
【図９】本発明の実施の形態における第３の処理例を示す図である。
【図１０】本発明の実施の形態における第４の処理例を示す図である。
【図１１】エラーレートを信号状態の評価指標値とした場合における補正タイミングを説明するための図である。
【図１２】アシンメトリ値やβ値を信号状態の評価指標値とした場合における補正タイミングを説明するための図である。
【図１３】本発明の実施の形態における第５の処理例を示す図である。
【図１４】本発明の実施の形態における第６の処理例を示す図である。
【図１５】光情報記録媒体に記録されるデータのデータ構造を示す図である。
【図１６】本発明の実施の形態における第７の処理例を示す図である。
【符号の説明】
【００９６】
１  光学ユニット（ＰＵ）
３  プレイコライザ（Ｐｒｅ−ＥＱ）
５  ＡＤＣ
７  等化器
９  ビタビデコーダ
１１  制御部
１３  記録波形生成部
１５  光情報記録媒体
１７  メモリ
１１１  符号識別部
１１３  検出指示部
１１５  検出部
１１７  演算部
１１９  特性値検出部
【図１】
0005210658.tif 000002
【図２】
0005210658.tif 000003
【図３】
0005210658.tif 000004
【図４】
0005210658.tif 000005
【図５】
0005210658.tif 000006
【図６】
0005210658.tif 000007
【図７】
0005210658.tif 000008
【図８】
0005210658.tif 000009
【図９】
0005210658.tif 000010
【図１０】
0005210658.tif 000011
【図１１】
0005210658.tif 000012
【図１２】
0005210658.tif 000013
【図１３】
0005210658.tif 000014
【図１４】
0005210658.tif 000015
【図１５】
0005210658.tif 000016
【図１６】
0005210658.tif 000017